(57)【特許請求の範囲】
【請求項１】
収納室に着脱可能に収納される金庫と、
前記収納室から前記金庫が抜脱される際に当該抜脱動作に関連して励磁状態または非励磁状態に保持しておくべき励磁対象部と、
前記金庫を抜脱する動作に先立ってオペレータにより行われる事前動作を検出する検出手段と、
前記励磁対象部に対する励磁を制御する制御手段とを具備するとともに、
使用中である金庫の抜脱を禁止するため前記金庫が使用中であるか否かを示す金庫情報を管理する金庫情報管理手段を備え、
前記励磁対象部は、励磁状態または非励磁状態のいずれか一方に保持されることにより前記金庫を抜脱不能にし、励磁状態または非励磁状態のいずれか他方に保持されることにより前記金庫を抜脱可能にするように構成されており、
前記制御手段は、前記検出手段により前記事前動作が行われたことが検出された場合に、前記金庫情報で金庫が使用中であるか否かに応じて前記励磁対象部に対する励磁を制御することを特徴とする現金処理装置。
【請求項２】
前記金庫を前記収納室に対して抜脱不能に施錠又は解錠する施解錠手段を備え、
前記励磁対象部は、オペレータにより行われる金庫解錠動作を前記施解錠手段へ入力する入力経路を励磁により生ずる動力を利用して切断または接続するものであり、
前期制御手段は、前記検出手段により前記事前動作が行われたことが検出された場合に、前記金庫情報で使用中であるとする金庫に対応する前記入力経路を切断し、前記金庫情報で使用中でないとする金庫に対応する前記入力経路を接続するように、前記励磁対象部に対する励磁を制御する請求項１に記載の現金処理装置。
【請求項３】
前記検出手段は、オペレータによる前記金庫へのアクセスを遮蔽する遮蔽位置または当該遮蔽位置から退避する退避位置のいずれかに変位可能な遮蔽部と、前記遮蔽部の位置を検出する遮蔽部センサとを有し、前記遮蔽部センサにより前記遮蔽部が前記退避位置にあると検出される場合に、前記事前動作として前記遮蔽部を前記退避位置へ移動させる動作が行われたと検出するように構成されている請求項１又は２に記載の現金処理装置。
【請求項４】
前記検出手段は、オペレータにより行われる金庫解錠動作を受け付ける操作受付部と、前記操作受付部を遮蔽する遮蔽位置または当該遮蔽位置から退避して前記操作受付部を表出させる表出位置のいずれかに変位可能な遮蔽部と、前記遮蔽部の位置を検出する遮蔽部センサとを有し、前記遮蔽部センサにより前記遮蔽部が前記表出位置にあると検出される場合に、前記事前動作として前記遮蔽部を前記表出位置へ移動させる動作が行われたと検出するように構成されている請求項２に記載の現金処理装置。
【請求項５】
収納室に着脱可能に収納される金庫と、
前記収納室から前記金庫が抜脱される際に当該抜脱動作に関連して励磁状態または非励磁状態に保持しておくべき励磁対象部と、
前記金庫を抜脱する動作に先立ってオペレータにより行われる事前動作を検出する検出手段と、
前記検出手段により前記事前動作が行われたことが検出された場合に前記励磁対象部を励磁状態または非励磁状態に保持する制御手段とを具備し、
前記検出手段は、オペレータによる前記金庫へのアクセスを遮蔽する遮蔽位置または当該遮蔽位置から退避する退避位置のいずれかに変位可能な遮蔽部と、前記遮蔽部の位置を検出する遮蔽部センサとを有し、前記遮蔽部センサにより前記遮蔽部が前記退避位置にあると検出される場合に、前記事前動作として前記遮蔽部を前記退避位置へ移動させる動作が行われたと検出するように構成されていることを特徴とする現金処理装置。
【発明の詳細な説明】
【技術分野】
【０００１】
本発明は、金庫が収納室に対して着脱可能な現金処理装置に係り、特に金庫の抜脱動作に関連して励磁状態に保持しておくべき励磁対象部の励磁を適正化した現金処理装置に関する。
【背景技術】
【０００２】
自動発券機や自動販売機等の現金処理装置は、現金を収納する金庫を有し、金庫に対して現金を入金又は出金するものである。このような従来の現金処理装置として特許文献１には、複数設けた収納室に金庫を着脱可能にし、オペレータが抜脱動作を行って金庫を抜脱するように構成したものが開示されている。
【先行技術文献】
【特許文献】
【０００３】
【特許文献１】特開２００６−１８７９８号公報
【発明の概要】
【発明が解決しようとする課題】
【０００４】
ところで、現金の回収または補給を行う際、業務効率の向上を目的として一部の金庫が抜かれても無停止で稼働する無停止補給または無停止回収を行うように構成することが一つの有効な手段として考えられる。このように構成する場合、使用中である金庫に対しては抜脱を禁止する必要があるので、使用中である金庫は抜脱不能にし、使用中でない金庫に対しては抜脱可能にする運用が望まれる。
【０００５】
この運用を実現するにあたり、例えば励磁対象部を励磁状態にすることにより金庫を抜脱不能にする構成が考えられるが、金庫が使用中であるからといって単に無条件に抜脱不能にしていると、金庫が抜脱される直前に励磁対象部を励磁状態に保持できればよいにも拘わらず励磁対象部を励磁状態に常に維持することになるので、励磁対象部で電力が常時消費され、消費電力が増大してしまう。
【０００６】
本発明は、このように金庫の抜脱動作に関連して励磁状態に保持しておくべき励磁対象部を有する現金処理装置について、上記新たな知見に基づいてなされたものであって、その目的は、金庫が抜脱される際の抜脱動作に関連して励磁状態に保持しておくべき励磁対象部に対する励磁を適切に実行しつつ、励磁対象部で消費される電力を低減して省エネルギーな現金処理装置を提供することである。
【課題を解決するための手段】
【０００７】
本発明は、かかる目的を達成するために、次のような手段を講じたものである。
【０００８】
すなわち、本発明に係る現金処理装置は、収納室に着脱可能に収納される金庫と、前記収納室から前記金庫が抜脱される際に当該抜脱動作に関連して励磁状態または非励磁状態に保持しておくべき励磁対象部と、前記金庫を抜脱する動作に先立ってオペレータにより行われる事前動作を検出する検出手段と、前記励磁対象部に対する励磁を制御する制御手段とを具備するとともに、使用中である金庫の抜脱を禁止するため前記金庫が使用中であるか否かを示す金庫情報を管理する金庫情報管理手段を備え、前記励磁対象部は、励磁状態または非励磁状態のいずれか一方に保持されることにより前記金庫を抜脱不能にし、励磁状態または非励磁状態のいずれか他方に保持されることにより前記金庫を抜脱可能にするように構成されており、前記制御手段は、前記検出手段により前記事前動作が行われたことが検出された場合に、前記金庫情報で金庫が使用中であるか否かに応じて前記励磁対象部に対する励磁を制御することを特徴とする。
【０００９】
この構成によれば、オペレータにより事前動作が行われたことが検出手段により検出された場合に制御手段が励磁対象部に対する励磁を実行するので、抜脱動作が行われないとき、例えば通常運転時から常に励磁対象部に対して励磁を行っておく必要を無くし、励磁対象部で消費される消費電力を低減して省エネルギーな現金処理装置を提供することができる。また、使用状況に応じて金庫を抜脱不能又は抜脱可能とすることを省エネルギーで自動化することも可能となる。
【００１０】
金庫の施錠及び解錠を適切に実施することを省エネルギーで実現するためには、前記金庫を前記収納室に対して抜脱不能に施錠又は解錠する施解錠手段を備え、前記励磁対象部は、オペレータにより行われる金庫解錠動作を前記施解錠手段へ入力する入力経路を励磁により生ずる動力を利用して切断または接続するものであり、前期制御手段は、前記検出手段により前記事前動作が行われたことが検出された場合に、前記金庫情報で使用中であるとする金庫に対応する前記入力経路を切断し、前記金庫情報で使用中でないとする金庫に対応する前記入力経路を接続するように、前記励磁対象部に対する励磁を制御することが好ましい。
【００１１】
金庫を抜脱する動作に先立って行われる事前動作の検出を実現するためには、前記検出手段は、オペレータによる前記金庫へのアクセスを遮蔽する遮蔽位置または当該遮蔽位置から退避する退避位置のいずれかに変位可能な遮蔽部と、前記遮蔽部の位置を検出する遮蔽部センサとを有し、前記遮蔽部センサにより前記遮蔽部が前記退避位置にあると検出される場合に、前記事前動作として前記遮蔽部を前記退避位置へ移動させる動作が行われたと検出するように構成されていることが挙げられる。
【００１２】
金庫を抜脱する動作に先立って行われる事前動作の検出を実現する具体的な一構成は、前記検出手段は、オペレータにより行われる金庫解錠動作を受け付ける操作受付部と、前記操作受付部を遮蔽する遮蔽位置または当該遮蔽位置から退避して前記操作受付部を表出させる表出位置のいずれかに変位可能な遮蔽部と、前記遮蔽部の位置を検出する遮蔽部センサとを有し、前記遮蔽部センサにより前記遮蔽部が前記表出位置にあると検出される場合に、前記事前動作として前記遮蔽部を前記表出位置へ移動させる動作が行われたと検出するように構成されていることが挙げられる。
【００１３】
また、励磁対象部で消費される消費電力を低減して省エネルギーな現金処理装置を提供するとともに、金庫を抜脱する動作に先立って行われる事前動作の検出を実現するためには、収納室に着脱可能に収納される金庫と、前記収納室から前記金庫が抜脱される際に当該抜脱動作に関連して励磁状態または非励磁状態に保持しておくべき励磁対象部と、前記金庫を抜脱する動作に先立ってオペレータにより行われる事前動作を検出する検出手段と、前記検出手段により前記事前動作が行われたことが検出された場合に前記励磁対象部を励磁状態または非励磁状態に保持する制御手段とを具備し、前記検出手段は、オペレータによる前記金庫へのアクセスを遮蔽する遮蔽位置または当該遮蔽位置から退避する退避位置のいずれかに変位可能な遮蔽部と、前記遮蔽部の位置を検出する遮蔽部センサとを有し、前記遮蔽部センサにより前記遮蔽部が前記退避位置にあると検出される場合に、前記事前動作として前記遮蔽部を前記退避位置へ移動させる動作が行われたと検出するように構成されていることも有効である。
【００１４】
なお、金庫を施錠する施解錠手段へオペレータにより行われる金庫解錠動作を入力することにより金庫を解錠する構成において使用中の金庫の抜脱を禁止するためには施解錠手段へ金庫解錠動作が入力されるまでに入力経路を切断しておく必要があり、金庫解錠動作が行われたときに励磁対象部に対する励磁を実行したのでは入力経路の切断が間に合わずに使用中である金庫が抜脱されてしまうことが考えられるが、本発明では、遮蔽部を表出位置に移動させ金庫解錠動作を受け付ける操作受付部が表出された時点、すなわち金庫解錠動作が操作受付部に受け付けられる事前に励磁対象部に対する励磁を実行するので、入力経路を適切に切断又は接続することができ、使用中である金庫が抜脱されてしまう事態が生じることがない。
【発明の効果】
【００１５】
本発明は、以上説明した構成であるから、金庫の抜脱動作に先立ってオペレータにより事前動作が行われたことが検出された場合に励磁対象部に対する励磁を実行するので、金庫が抜脱される際の抜脱動作に関連して励磁状態に保持しておくべき励磁対象部に対する励磁を適切に実行しつつ、励磁対象部で消費される電力を低減して省エネルギー化に資することが可能となる。
【図面の簡単な説明】
【００１６】
【図１】本発明の一実施形態に係る現金処理装置を示す概略全体構成図。
【図２】一部の金庫を抜き取った状態を示す図１に対応した図。
【図３】同実施形態における搬送手段および制御手段の構成および機能の概略を示すブロック図。
【図４】同実施形態における現金処理装置の収納室を開口側から視た斜視図。
【図５】図４とは異なる視点から視た図４に対応する斜視図。
【図６】同実施形態における金庫毎に設けられ金庫の抜脱を禁止する施解錠手段を示す模式的な側面図
【図７】金庫を抜脱不能に施錠する施解錠手段を示す要部拡大側面図。
【図８】操作受付部を金庫解錠動作が受け付けられる前の状態で示す図。
【図９】金庫解錠動作を受け付けたときの操作受付部の動作を示す図。
【図１０】入力経路を接続する設定がなされた状態で金庫解錠動作がなされたときの施解錠手段の動作を示す図。
【図１１】入力経路を切断する設定がなされた状態で金庫解錠動作がなされたときの施解錠手段の動作を示す図。
【図１２】金庫が収納室から抜脱された状態の施解錠手段を示す図。
【発明を実施するための形態】
【００１７】
以下、本発明の一実施形態に係る現金処理装置を、図面を参照して説明する。本実施形態では紙幣を取り扱う紙幣ブロックとしての現金処理装置を例に挙げて説明する。
【００１８】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００１９】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、オペレータが操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｃ１、搬送経路２１上の紙幣（不良券を含む）を一時的に保留する一時保留部Ｅや出金保留部Ｆが設けられている。一時保留部Ｅとは別に、読み取り不能、金種相違、重送発生、異常検知時の不良券を回収する不良券回収部Ｇが設けられている。不良券回収部Ｇは、図１に示すように、オペレータが操作を行う側に扉部ｇ１が設けられており、オペレータがこの扉部ｇ１を通じて不良券回収部Ｇに貯留された不良券を回収することが可能にされている。
【００２０】
紙幣ブロック１には、図４及び図５に示すように、側方でありオペレータが操作を行う側へ開口する収納室５が３つ形成されている。この収納室５は、カセット式の金庫Ａ〜Ｃを収納するものであり、具体的には、カセット式の金庫Ａを収納する収納室５ａ（５）、金庫Ｂを収納する収納室５ｂ（５）、金庫Ｃを収納する収納室５ｃ（５）である。なお、図４は、金庫Ａが収納室５ａに収納され、金庫Ｂ及び金庫Ｃは抜脱された状態を示す。
【００２１】
収納室５には、図４及び図５に示すように、板状の仕切部Ｄｒが設けられている。仕切部Ｄｒが鉛直方向の軸を中心に回転可能となるように、仕切部Ｄｒの基端が図示しないヒンジ部を介して収納室５の側壁５２に支持されて、開閉する扉を成している。仕切部Ｄｒは、ヒンジ部に設けられた図示しないねじりコイルバネにより開口端側へ付勢されている。この仕切部Ｄｒは、金庫Ａ〜Ｃの着脱動作に伴って開閉するものである。
【００２２】
カセット式の金庫Ａ〜Ｃは、図２に例示するように把手ｈを把持して収納室５から引き出すことが可能にされている。また、金庫Ａ〜Ｃの外壁の一部には、図５に示すように、上方へ開口する被係合部６２が設けられており、紙幣ブロック１には、図６に示すように、この被係合部６２と係合して金庫Ａ〜Ｃを抜脱不能に施錠する施解錠手段６が金庫毎に設けてある。各収納室５（５ａ、５ｂ、５ｃ）の近傍には、図４及び図５に示すように、ＬＥＤにより構成された報知手段９（９ａ、９ｂ、９ｃ）が各金庫に対応して設けられている。報知手段９は、オペレータが操作を行う側から視認可能に配置され、対応する金庫が使用中である場合には赤色に点灯し、使用中でない場合には緑色に点灯して、金庫が使用中であるか否かを表示する。
【００２３】
紙幣ブロック１のオペレータが操作を行う側には、図４及び図５に示すように、オペレータにより行われる金庫解錠動作Ｍｖを受け付ける操作受付部７２が設けられている。操作受付部７２は、図８及び図９に示すように、オペレータが所有する鍵が差し込まれる鍵穴部７３と、連動部７１、７１’とにより構成されている。鍵穴部７３は、ユーザを認証する認証手段であり、適合する鍵が差し込まれたときに金庫解錠動作Ｍｖの受付を許容するものである。連動部７１、７１’は、水平方向の軸７１’ｂを中心に回動変位する回動連動部７１’と、上下方向に直線変位する直線連動部７１とを含んで構成されている。回動連動部７１’は、図９に示すように、鍵穴部７３に鍵を差し込んだ状態で鍵を回動させる金庫解錠動作Ｍｖに連動して矢印方向へ回動する。直線連動部７１は、その一端部７１ｂが回動連動部７１’の一端７１ａに挟持されており、金庫解錠動作Ｍｖが行われると回動連動部７１’の回動を通じて矢印で表す下方へ移動する。直線連動部７１には、図６に示すように、下方へ移動した際に施解錠手段６に金庫解錠動作Ｍｖを入力するためのピン７１ａが施解錠手段６毎に設けられており、一括で複数の施解錠手段６に対する金庫解錠動作Ｍｖの入力を可能とし、複数の施解錠手段６を動作させるために共用している。このように操作受付部７２と連動部７１、７１’とにより、金庫解錠動作Ｍｖを受け付け、受け付けた金庫解錠動作Ｍｖを施解錠手段６へ入力する入力経路の一部をなす操作部７が構成されており、本実施形態では、機械的動作である金庫解錠動作Ｍｖを利用して施解錠手段６に解錠させている。
【００２４】
また、図４、図５、図８及び図９に示すように、操作受付部７２の鍵穴部７３を遮蔽する板状カバーを用いた遮蔽部７４が設けられている。遮蔽部７４は、水平方向の軸７４ａを中心に回動自在に支持され、鍵穴部７３を遮蔽する遮蔽位置ｓとこの遮蔽位置ｓから退避して鍵穴部７３を表出させる表出位置ｐとの間を変位可能にされている。遮蔽部７４が遮蔽位置ｓにあるときは鍵穴部７３が遮蔽されて操作受付部７２に対する金庫解錠動作Ｍｖを行うことが不可能になり、遮蔽部７４が表出位置ｐにあるときは鍵穴部７３が表出して操作受付部７２に対する金庫解錠動作Ｍｖを行うことが可能になるので、金庫解錠動作Ｍｖに先立って遮蔽部７４を表出位置ｐへ移動させる動作Ａｔが必然的に行われるようになる。また、操作受付部７２の内部には、図８及び図９に示すように、遮蔽部７４の回動に伴って共に軸７４ａを中心に回動するセンサプレート７４ｂが設けられており、さらに、遮蔽部７４の位置を検出する遮蔽部センサ７５が設けられている。遮蔽部センサ７５は、このセンサプレート７４ｂの一部に設けられた検出ターゲット７４ｂ’が検知部７５ａから離れたことをもって、遮蔽部７４が表出位置ｐに移動したと検出し、遮蔽部７４を表出位置ｐへ移動させる動作Ａｔが行われたことが検出される。
【００２５】
金庫解錠動作Ｍｖが入力されるべき施解錠手段６は、図７に示すように、水平方向の軸６３ｃを中心に回動可能に支持される天秤部６３を有し、この天秤部６３の一端部６３ｂに金庫の抜脱方向に対して傾斜しつつ金庫へ向かって突出する係合部６１が形成されている。天秤部６３は、係合部６１が前述した金庫Ａ〜Ｃの外壁に上方に開口させて設けた被係合部６２と係合して金庫Ａ〜Ｃの抜脱を禁止する禁止位置ｎにあるように係合部６１を金庫へ近づける方（図７における矢印方向）へ図示しないねじりコイルバネにより回動付勢されている。一方、天秤部６３の他端部６３ａには、金庫解錠動作Ｍｖの入力経路の一部である伝達部６４が水平方向の軸６４ｃを中心に回動可能に設けられている。伝達部６４は、図７及び図１１に示すように、上記の連動部７１のピン７１ａと係合可能な係合位置ｅｎおよび係合位置ｅｎから退避して連動部７１のピン７１ａと係合不能な退避位置ｅｖのいずれかに変位可能にされている。すなわち、伝達部６４が係合位置ｅｎにある状態でピン７１ａが降下したときは金庫解錠動作Ｍｖが施解錠手段６に入力され、伝達部６４が退避位置ｅｖにある状態でピン７１ａが降下したときは金庫解錠動作Ｍｖが施解錠手段６に入力されない。
【００２６】
伝達部６４の近傍には、ソレノイド等の励磁により動力を発生する励磁対象部８１が設けられており、この励磁対象部８１の動力出力端８１ａと伝達部６４の一部とが連結されている。励磁対象部８１への通電をオンにして励磁対象部８１を励磁状態に保持すると、図１１に示すように、伝達部６４が退避位置ｅｖに移動する。励磁対象部８１への通電をオフにして励磁対象部８１を非励磁状態に保持すると、図７に示すように、伝達部６４が図示しないねじりコイルバネにより一方へ回動付勢され伝達部６４が係合位置ｅｎへ移動する。このように励磁対象部８１は、励磁により生ずる動力を利用して施解錠手段６への金庫解錠動作Ｍｖの入力経路を切断し又は接続する。勿論、ねじりコイルバネに代えて励磁対象部８１の内部にオフセットバネを備えていてもよい。
【００２７】
また、図１２に示すように、係合部６１が形成されている天秤部６３の一端部６３ｂには、Ｌ字形板状の変位部６５が水平方向の軸６５ｃを中心とする回動により姿勢変更自在に設けられている。変位部６５は、その一端部６５ａが図示しないねじりコイルバネにより矢印に示す金庫へ向かう方向に付勢されている。金庫Ａ〜Ｃが収納室５に収納されて係合部６１が禁止位置ｎにある場合には、図７に示すように、変位部６５の一端部６５ａが金庫Ａ〜Ｃに当接して変位部６５の姿勢が当接姿勢ｔになり、金庫Ａ〜Ｃに当接しなくなると、図１２に示すように、ねじりコイルバネの付勢力で矢印方向へ回動して変位部６５の姿勢が非当接姿勢ｕになる。すなわち、変位部６５は、金庫Ａ〜Ｃとの当接の有無に応じてその姿勢が当接姿勢ｔ又は非当接姿勢ｕの間を変位する。また、この変位部６５は、係合部６１が形成されている天秤部６３の一端部６３ｂに設けられているので、係合部６１の移動に伴って例えば図７と図１０の間で共に位置変位するように係合部６１との位置関係が規定されている。
【００２８】
また、変位部６５の姿勢が当接姿勢ｔであり、且つ、変位部６５の位置が禁止位置ｎである場合（図１１参照）に変位部６５を検出する変位部検出センサ６６が設けられている。具体的には、接触により検出信号を出力する接触型センサを用い、変位部６５の姿勢が当接姿勢ｔであり且つ係合部６１が禁止位置ｎにある場合のみ変位部６５の他端部６５ｂと接触する部位に配置している。勿論、かかる変位部検出センサ６５は非接触型センサであっても構わない。
【００２９】
この実施形態では、図３に示すように、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定にしている。
【００３０】
図３に示すように、現金処理装置は、搬送手段２とこれを制御する制御手段３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易型の識別部２０とを有している。
【００３１】
制御手段３は、識別部２２或いは簡易型の識別部２０の識別結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、金庫Ａ、金庫Ｂ、金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。
【００３２】
この搬送制御に対して、制御手段３では、さらに金庫が使用中であるか否かを金庫毎に示す金庫情報を管理する金庫情報管理制御を行っている。金庫情報管理制御は、金庫が使用中であるか否かを示す金庫情報を常に最新の状態に維持する管理を行うことである。金庫情報を最新の状態に維持する手段としては、例えば上位制御装置Ｍａ等の他の装置から金庫情報を取得することや、各種情報に基づいて金庫が使用中であるか否かを判定することが挙げられる。各種情報には、種々センサの検出結果や金庫への現金のアクセス情報、搬送制御の制御情報等が挙げられる。
【００３３】
上記で述べた搬送制御などを行う具体的な制御手段３は、図３に示すように、入出金制御部３１と、搬送制御部３２と、金庫情報管理部３３と、励磁制御部３４とを含んで構成されている。
【００３４】
入出金制御部３１は、利用者が操作する図示しない他の操作部、搬送手段２や各種センサからの信号に基づいて入出金に関する総括的な制御を行うものであり、取引に応じた紙幣の搬送指令を搬送制御部３２に対して行う。
【００３５】
搬送制御部３２は、入出金制御部３１からの紙幣の搬送指令に基づいて搬送手段２を駆動制御し、紙幣の搬送を行う。
【００３６】
金庫情報管理部３３は、搬送制御部３２の制御情報等に基づいて各金庫が使用中であるか否かを判定し又は上位制御装置Ｍａから金庫情報を取得し、金庫情報を常に最新の状態に維持する管理を行っている。
【００３７】
励磁制御部３４は、金庫情報管理部３３が管理する金庫情報と遮蔽部センサ７５の検出結果とに基づいて励磁対象部８１を駆動させる。具体的には、遮蔽部センサ７５により遮蔽部７４が遮蔽位置ｓから退避して操作受付部７２を表出させる表出位置ｐにあることが検出されており且つ金庫情報で使用中である金庫に対応した励磁対象部８１のみを作動させる。
【００３８】
このような制御手段３を実現する具体的な構成は、ＣＰＵ、メモリ及びインターフェイスを有する通常のマイクロコンピュータユニットにより構成され、メモリには図示しない搬送制御処理ルーチンや入出金制御処理ルーチン等が格納してあり、ＣＰＵが適宜必要なプログラムを呼び出して実行することにより、上記の入出金制御部３１および搬送制御部３２が実現される。これらの詳細な制御、例えば制御手段３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００３９】
上記の構成の現金処理装置において、オペレータが金庫解錠動作Ｍｖを行うにあたり、図９（ａ）に示すように、操作受付部７２の鍵穴部７３を遮蔽する遮蔽位置ｓにある遮蔽部７４を表出位置ｐに移動させる動作Ａｔを行うと、これを遮蔽部センサ７５が検出し、図３に示す金庫情報管理部３３から金庫情報を取得した励磁制御部３４が使用中であるとされる金庫Ａ（Ｂ、Ｃ）に対応する励磁対象部８１に通電する。励磁対象部８１が励磁状態に保持されると、図１１に示すように、伝達部６４が退避位置ｅｖへ移動する。一方、金庫情報において使用中でないとされる金庫に対応する励磁対象部８１には通電がなされず、図７に示すように伝達部６４が係合位置ｅｎにある状態が維持される。
【００４０】
そして、オペレータが所有する鍵が操作受付部７２の鍵穴部７３に挿入され、鍵を回動する金庫解錠動作Ｍｖがなされると、これに連動部７１、７１’が連動する。伝達部６４が係合位置ｅｎにある場合は、図１０に示すように、連動部７１のピン７１ａと伝達部６４とが係合して施解錠手段６に金庫解錠動作Ｍｖが入力され、係合部６１が金庫から遠ざける方向へ天秤部６３が軸６３ｃを中心に回動し、係合部６１が禁止位置ｎから非禁止位置ｙへ移動し、金庫Ａ（Ｂ、Ｃ）が解錠されて抜脱可能になる。一方、伝達部６４が退避位置ｅｖにある場合には、図１１に示すように、連動部７１のピン７１ａと伝達部６４とが係合せず施解錠手段６に金庫解錠動作Ｍｖが入力されずに、係合部６１と金庫Ａ（Ｂ、Ｃ）の被係合部６２との係合が維持され、金庫Ａ（Ｂ、Ｃ）の施錠が維持されて抜脱不能になる。
【００４１】
最後に、オペレータが鍵穴部７３から鍵を抜き取り、図８（ａ）に示すように、遮蔽部７４を遮蔽位置ｓに移動させると、これを遮蔽部センサ７５が検出し、図３に示す励磁制御部３４が励磁対象部８１への通電をオフにして、伝達部６４が係合位置ｅｎに移動する。
【００４２】
以上のように、本実施形態に係る現金処理装置は、収納室５に着脱可能に収納される金庫Ａ（Ｂ、Ｃ）と、収納室５から金庫Ａ（Ｂ、Ｃ）が抜脱される際に抜脱動作に関連して励磁状態に保持しておくべき励磁対象部８１と、金庫Ａ（Ｂ、Ｃ）を抜脱する動作に先立ってオペレータにより行われる事前動作を検出する検出手段を構成する遮蔽部センサ７５と、検出手段を構成する遮蔽部センサ７５により事前動作が行われたことが検出された場合に励磁対象部８１に対する励磁を実行する制御手段３とを具備してなることを特徴とする。
【００４３】
この本実施形態によれば、オペレータにより事前動作が行われたことが検出手段を構成する遮蔽部センサ７５により検出された場合に制御手段３が励磁対象部８１に対する励磁を実行するので、抜脱動作が行われないとき、例えば通常運転時から常に励磁対象部８１に対して励磁を行っておく必要を無くし、励磁対象部８１で消費される消費電力を低減して省エネルギーな現金処理装置を提供することが可能となる。
【００４４】
特に、本実施形態では、使用中である金庫の抜脱を禁止するため金庫Ａ（Ｂ、Ｃ）が使用中であるか否かを示す金庫情報を管理する金庫情報管理手段を構成する金庫情報管理部３３を備え、励磁対象部８１は、励磁状態または非励磁状態のいずれか一方に保持されることにより金庫Ａ（Ｂ、Ｃ）を抜脱不能にし、励磁状態または非励磁状態のいずれか他方に保持されることにより金庫Ａ（Ｂ、Ｃ）を抜脱可能にするように構成されており、制御手段３は、検出手段を構成する遮蔽部センサ７５により事前動作が行われたことが検出された場合に、金庫情報で金庫が使用中であるか否かに応じて励磁対象部８１に対する励磁を制御するので、金庫Ａ（Ｂ、Ｃ）が使用中であるか否かに応じて無条件で金庫Ａ（Ｂ、Ｃ）を抜脱不能又は抜脱可能にせず、抜脱動作が行われないときに励磁対象部８１で電力が消費される事態を避け、使用状況に応じて金庫Ａ（Ｂ、Ｃ）を抜脱不能又は抜脱可能とすることを省エネルギーで自動化することが可能となる。
【００４５】
さらに、本実施形態では、金庫Ａ（Ｂ、Ｃ）を収納室５に対して抜脱不能に施錠又は解錠する施解錠手段６を備え、励磁対象部８１は、オペレータにより行われる金庫解錠動作Ｍｖを施解錠手段６へ入力する入力経路を励磁により生ずる動力を利用して切断または接続するものであり、制御手段３は、検出手段を構成する遮蔽部センサ７５により事前動作が行われたことが検出された場合に、金庫情報で使用中であるとする金庫Ａ（Ｂ、Ｃ）に対応する入力経路を切断し、金庫情報で使用中でないとする金庫Ａ（Ｂ、Ｃ）に対応する入力経路を接続するように、励磁対象部８１に対する励磁を制御するので、金庫解錠動作Ｍｖが行われるまで金庫Ａ（Ｂ、Ｃ）を施錠状態に保持しつつ、金庫解錠動作Ｍｖを行ったときに金庫Ａ（Ｂ、Ｃ）の使用状況に応じて解錠がなされ、金庫Ａ（Ｂ、Ｃ）の施錠及び解錠を適切に実施することを省エネルギーで実現可能になる。
【００４６】
さらにまた、本実施形態では、検出手段は、オペレータによる金庫Ａ（Ｂ、Ｃ）へのアクセスである金庫解錠動作Ｍｖを遮蔽する遮蔽位置ｓまたは遮蔽位置ｓから退避する退避位置（表出位置ｐ）のいずれかに変位可能な遮蔽部７４と、遮蔽部７４の位置を検出する遮蔽部センサ７５とを有し、遮蔽部センサ７５により遮蔽部７４が退避位置（表出位置ｐ）にあると検出される場合に、事前動作として遮蔽部７４を退避位置（表出位置ｐ）へ移動させる動作Ａｔが行われたと検出するように構成されているので、金庫Ａ（Ｂ、Ｃ）を抜脱する動作を行うにあたり、金庫Ａ（Ｂ、Ｃ）へのアクセスである金庫解錠動作Ｍｖに先立って遮蔽部７４を退避位置（表出位置ｐ）へ移動させる動作が必然的に行われるようになり、遮蔽部７４を退避位置（表出位置ｐ）へ移動させる動作Ａｔを検出することで金庫Ａ（Ｂ、Ｃ）を抜脱する動作に先立って行われる事前動作の検出を実現できる。
【００４７】
さらにまた、本実施形態では、検出手段は、オペレータにより行われる金庫解錠動作Ｍｖを受け付ける操作受付部７２と、操作受付部７２を遮蔽する遮蔽位置ｓまたは遮蔽位置ｓから退避して操作受付部７２を表出させる表出位置ｐのいずれかに変位可能な遮蔽部７４と、遮蔽部７４の位置を検出する遮蔽部センサ７５とを有し、遮蔽部センサ７５により遮蔽部７４が表出位置ｐにあると検出される場合に、事前動作として遮蔽部７４を表出位置ｐへ移動させる動作Ａｔが行われたと検出するように構成されているので、金庫Ａ（Ｂ、Ｃ）を抜脱する動作を行うにあたり、金庫Ａ（Ｂ、Ｃ）の解錠に先立って遮蔽部７４を表出位置ｐへ移動させる動作Ａｔが必然的に行われるようになり、遮蔽部７４を表出位置ｐへ移動させる動作Ａｔを検出することで金庫Ａ（Ｂ、Ｃ）を抜脱する動作に先立って行われる事前動作の検出を実現できる。
【００４８】
その他、金庫Ａ（Ｂ、Ｃ）を施錠する施解錠手段６へオペレータにより行われる金庫解錠動作Ｍｖを入力することにより金庫Ａ（Ｂ、Ｃ）を解錠する構成において使用中の金庫の抜脱を禁止するためには施解錠手段６へ金庫解錠動作Ｍｖが入力されるまでに入力経路を切断しておく必要があり、金庫解錠動作Ｍｖが行われたときに励磁対象部８１に対する励磁を実行したのでは入力経路の切断が間に合わずに使用中である金庫Ａ（Ｂ、Ｃ）が抜脱されてしまうことが考えられるが、本実施形態では、遮蔽部７４を表出位置ｐに移動させ金庫解錠動作Ｍｖを受け付ける操作受付部７２が表出された時点、すなわち金庫解錠動作Ｍｖが操作受付部７２に受け付けられる事前に励磁対象部８１に対する励磁を実行するので、入力経路を適切に切断又は接続することができ、使用中である金庫Ａ（Ｂ、Ｃ）が抜脱されてしまう事態が生じることがない。
【００４９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５０】
例えば、本実施形態では、励磁対象部８１が、オペレータにより行われる金庫解錠動作Ｍｖを施解錠手段６へ入力する入力経路を、励磁により生ずる動力を利用して切断または接続するものであるが、励磁対象部を、励磁により生ずる動力を利用して係合部を移動させるようにし、励磁対象部を励磁状態または非励磁状態のいずれか一方に保持することにより係合部と金庫とを係合して金庫を抜脱不能とし、励磁対象部を励磁状態または非励磁状態のいずれか他方に保持することにより係合部の移動を通じて係合部と金庫とを非係合にして金庫を抜脱可能にするようにしてもよい。
【００５１】
また、本実施形態では、オペレータによる金庫へのアクセスを金庫解錠動作Ｍｖとし、この金庫解錠動作Ｍｖに先立って行われる遮蔽部７４を表出位置ｐに移動させる動作Ａｔを遮蔽部センサ７５で検出するようにしているが、オペレータによる金庫へのアクセスを遮蔽する遮蔽部として、オペレータと金庫との間に開閉扉部を設け、この開閉扉部の開閉を検出するようにしてもよい。その他、金庫の把手を把持されたか否かを検出するセンサを設け、把手が把持されたことを事前動作として検出してもよい。このようにオペレータによる金庫へのアクセスは、金庫解錠動作Ｍｖに限らず、金庫の把手を把持する行為や、その他の行為も含まれる。
【００５２】
さらに、本実施形態では、金庫Ａ〜Ｃに対して入金および出金の双方を行う現金処理装置であるが、金庫への入金および金庫からの出金のいずれかのみを行う装置であっても本発明を適用することが可能である。
【００５３】
さらにまた、金庫Ａ〜Ｄに格納する金種は本実施形態に限定されるものではなく、金庫Ａ〜Ｄはどの金種を格納することも可能であり、例えば金庫Ａ〜Ｄに対して各金種を割り当てて金庫Ａ〜Ｄを四金種循環金庫としてもよい。このような様々な金庫の設定に対しても本発明を適用することが可能である。
【００５４】
加えて、本実施形態では、紙幣と硬貨とを含む現金のうち、紙幣を取り扱う紙幣ブロックとしての現金処理装置を例に挙げて説明したが、硬貨を取り扱う硬貨ブロックに対しても本発明を適用することが可能である。
【００５５】
その他、各部の具体的な構成は、上述した実施形態のみに限定されるものではなく、本発明の趣旨を逸脱しない範囲で種々変形が可能である。
【符号の説明】
【００５６】
１………紙幣ブロック
Ａ〜Ｃ…金庫
３………制御手段
３３……金庫情報管理手段（金庫情報管理部）
５………収納室
５ａ、５ｂ、５ｃ…収納室
６………施解錠手段
７２……操作受付部
７４……遮蔽部
７５……検出手段（遮蔽部センサ）
８１……励磁対象部
ｓ………遮蔽位置
ｐ………表出位置
【図１】
0005476972.tif 000002
【図２】
0005476972.tif 000003
【図３】
0005476972.tif 000004
【図４】
0005476972.tif 000005
【図５】
0005476972.tif 000006
【図６】
0005476972.tif 000007
【図７】
0005476972.tif 000008
【図８】
0005476972.tif 000009
【図９】
0005476972.tif 000010
【図１０】
0005476972.tif 000011
【図１１】
0005476972.tif 000012
【図１２】
0005476972.tif 000013